(57)【要約】【課題】適正な条件で反応液を媒体に記録すること。【解決手段】インクを媒体Ｍに記録するノズルチップ５１，５２と、インクに作用する低濃度の反応液Ｏｐ１を媒体Ｍに記録するノズルチップ５３と、インクに作用する高濃度の反応液Ｏｐ２を媒体Ｍに記録するノズルチップ５３と、を有するヘッドユニット５０と、ヘッドユニット５０に対して媒体Ｍを搬送方向Ｙに相対移動させる搬送ローラー４３と、制御ユニット９０と、を備え、制御ユニット９０は、低濃度の反応液Ｏｐ１及び高濃度の反応液Ｏｐ２を併用する第１の記録と、低濃度の反応液Ｏｐ１及び高濃度の反応液Ｏｐ２を併用しない第２の記録とのうちから選択して、媒体Ｍへの記録を実施することを特徴とする。【選択図】図１
2019155706.tif 000002
【特許請求の範囲】
【請求項１】
第１液体を媒体に記録する第１記録部と、前記第１液体に作用する凝集剤を含む第２液体を前記媒体に記録する第２記録部と、前記第１液体に作用する凝集剤を前記第２液体よりも高濃度で含む第３液体を前記媒体に記録する第３記録部と、を有する記録ユニットと、
前記記録ユニットに対して前記媒体を搬送方向に相対移動させる搬送部と、
制御部と、
を備え、
前記制御部は、前記第２液体及び前記第３液体を併用する第１の記録と、前記第２液体及び前記第３液体を併用しない第２の記録とのうちから選択して、前記媒体への記録を実施することを特徴とする記録装置。
【請求項２】
前記第１記録部は、前記第２記録部及び前記第３記録部よりも前記搬送方向の下流側に配置され、
前記制御部は、前記第１の記録と前記第２の記録とのうちから選択して前記媒体への記録を実施した後、前記第１液体を前記媒体に記録することを特徴とする請求項１に記載の記録装置。
【請求項３】
前記第１記録部の前記搬送方向の位置と、前記第２記録部及び前記第３記録部の搬送方向の位置とは重複しており、
前記制御部は、前記第１の記録または前記第２の記録のいずれかと、前記第１液体の前記媒体への記録とを同一パスで実施することを特徴とする請求項１に記載の記録装置。
【請求項４】
前記制御部は、前記第１液体の液量データに基づいて、前記第２液体の液量データ及び前記第３液体の液量データを選択することを特徴とする請求項１〜３のいずれか１項に記載の記録装置。
【請求項５】
前記制御部は、前記第１液体の液量データに基づいて、前記第２液体及び前記第３液体の比率を決定することを特徴とする請求項１〜４のいずれか１項に記載の記録装置。
【請求項６】
第１液体を媒体に記録する第１記録部と、前記第１液体に作用する凝集剤を含む第２液体を前記媒体に記録する第２記録部と、前記第１液体に作用する凝集剤を前記第２液体よりも高濃度で含む第３液体を前記媒体に記録する第３記録部と、を有する記録ユニットと、
前記記録ユニットに対して前記媒体を搬送方向に相対移動させる搬送部と、
制御部と、
を備える記録装置の記録方法であって、
前記第２液体及び前記第３液体を併用する第１の記録と、前記第２液体及び前記第３液体を併用しない第２の記録とのうちから選択して、前記媒体への記録を実施する工程と、
前記第１液体を前記媒体に記録する工程と、
を含み、
前記第１液体を前記媒体に記録する工程は、前記第１の記録と前記第２の記録とのうちから選択して前記媒体への記録を実施する工程の後に実施されることを特徴とする記録装置の記録方法。
【請求項７】
第１液体を媒体に記録する第１記録部と、前記第１液体に作用する凝集剤を含む第２液体を前記媒体に記録する第２記録部と、前記第１液体に作用する凝集剤を前記第２液体よりも高濃度で含む第３液体を前記媒体に記録する第３記録部と、を有する記録ユニットと、
前記記録ユニットに対して前記媒体を搬送方向に相対移動させる搬送部と、
制御部と、
を備える記録装置の記録方法であって、
前記第２液体及び前記第３液体を併用する第１の記録と、前記第２液体及び前記第３液体を併用しない第２の記録とのうちから選択して、前記媒体への記録を実施する工程と、
前記第１液体を前記媒体に記録する工程と、
を含み、
前記第１液体を前記媒体に記録する工程は、前記第１の記録と前記第２の記録とのうちから選択して前記媒体への記録を実施する工程と同一パスで実施されることを特徴とする記録装置の記録方法。
【発明の詳細な説明】
【技術分野】
【０００１】
本発明は、記録装置、及び当該記録装置の記録方法に関する。
【背景技術】
【０００２】
従来から、インクと共に、インクに作用する処理液（反応液）を用いて記録を行なう記録装置が知られている（特許文献１）。
特許文献１に記載のインクプリント装置（インクジェット記録装置）は、媒体に対して処理液及びインクを記録するヘッドを備え、使用される媒体の種類を自動的に判別し、媒体の種類に応じて適切な処理液及びインクの記録を実現する記録制御が可能になっている。そして、予め媒体の表面に処理液を記録し、表面に反応液の液体分が残存している状態で、インクを着弾させる。すると、インクに含まれる色材同士の結合力が増した状態でインクが媒体に定着され、インクの滲みが抑制される。
【先行技術文献】
【特許文献】
【０００３】
【特許文献１】特開２０００−１９０４８０号公報
【発明の概要】
【発明が解決しようとする課題】
【０００４】
しかしながら、特許文献１に記載の記録装置では、例えば、反応液の記録量が少なすぎる場合に、色材同士の結合が不均一になり、媒体に形成される画像の品位が低下する不具合や、反応液の記録量が多すぎる場合に、余剰の反応液の成分の析出が顕在化しやすいという不具合が生じるおそれがあった。
【課題を解決するための手段】
【０００５】
本願の記録装置は、第１液体を媒体に記録する第１記録部と、前記第１液体に作用する凝集剤を含む第２液体を前記媒体に記録する第２記録部と、前記第１液体に作用する凝集剤を前記第２液体よりも高濃度で含む第３液体を前記媒体に記録する第３記録部と、を有する記録ユニットと、前記記録ユニットに対して前記媒体を搬送方向に相対移動させる搬送部と、制御部と、を備え、前記制御部は、前記第２液体及び前記第３液体を併用する第１の記録と、前記第２液体及び前記第３液体を併用しない第２の記録とのうちから選択して、前記媒体への記録を実施することを特徴とする。
【０００６】
本願の記録装置では、前記第１記録部は、前記第２記録部及び前記第３記録部よりも前記搬送方向の下流側に配置され、前記制御部は、前記第１の記録と前記第２の記録とのうちから選択して前記媒体への記録を実施した後、前記第１液体を前記媒体に記録することが好ましい。
【０００７】
本願の記録装置では、前記第１記録部の前記搬送方向の位置と、前記第２記録部及び前記第３記録部の搬送方向の位置とは重複しており、前記制御部は、前記第１の記録または前記第２の記録のいずれかと、前記第１液体の前記媒体への記録とを同一パスで実施することが好ましい。
【０００８】
本願の記録装置では、前記制御部は、前記第１液体の液量データに基づいて、前記第２液体の液量データ及び前記第３液体の液量データを選択することが好ましい。
【０００９】
本願の記録装置では、前記制御部は、前記第１液体の液量データに基づいて、前記第２液体及び前記第３液体の比率を決定することが好ましい。
【００１０】
本願の記録装置の記録方法は、第１液体を媒体に記録する第１記録部と、前記第１液体に作用する凝集剤を含む第２液体を前記媒体に記録する第２記録部と、前記第１液体に作用する凝集剤を前記第２液体よりも高濃度で含む第３液体を前記媒体に記録する第３記録部と、を有する記録ユニットと、前記記録ユニットに対して前記媒体を搬送方向に相対移動させる搬送部と、制御部とを備える記録装置の記録方法であって、前記第２液体及び前記第３液体を併用する第１の記録と、前記第２液体及び前記第３液体を併用しない第２の記録とのうちから選択して、前記媒体への記録を実施する工程と、前記第１液体を前記媒体に記録する工程と、を含み、前記第１液体を前記媒体に記録する工程は、前記第１の記録と前記第２の記録とのうちから選択して前記媒体への記録を実施する工程の後に実施されることを特徴とする。
【００１１】
本願の記録装置の記録方法は、第１液体を媒体に記録する第１記録部と、前記第１液体に作用する凝集剤を含む第２液体を前記媒体に記録する第２記録部と、前記第１液体に作用する凝集剤を前記第２液体よりも高濃度で含む第３液体を前記媒体に記録する第３記録部と、を有する記録ユニットと、前記記録ユニットに対して前記媒体を搬送方向に相対移動させる搬送部と、制御部とを備える記録装置の記録方法であって、前記第２液体及び前記第３液体を併用する第１の記録と、前記第２液体及び前記第３液体を併用しない第２の記録とのうちから選択して、前記媒体への記録を実施する工程と、前記第１液体を前記媒体に記録する工程と、を含み、前記第１液体を前記媒体に記録する工程は、前記第１の記録と前記第２の記録とのうちから選択して前記媒体への記録を実施する工程と同一パスで実施されることを特徴とする。
【図面の簡単な説明】
【００１２】
【図１】実施形態１に係る記録装置の概要を示す概略図。
【図２】実施形態１に係る記録装置の電気的構成を示すブロック図。
【図３】ヘッドユニットが備えるノズルの配置状態を示す模式図。
【図４】記録データの生成方法を示すフロー図。
【図５】記録領域に記録されるインクの液量の総和と、記録領域に記録される反応液の液量との関係を示すグラフ。
【図６】実施形態１に係る記録装置の記録方法を示す工程フロー。
【図７】実施形態１に係る記録装置の記録方法の説明図。
【図８】実施形態２に係る記録装置のヘッドユニットが備えるノズルの配置状態を示す模式図。
【図９】実施形態に係る記録装置の記録方法を示す工程フロー。
【図１０】実施形態２に係る記録装置の記録方法の説明図。
【発明を実施するための形態】
【００１３】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００１４】
（実施形態１）
図１は、実施形態１に係る記録装置の概要を示す概略図である。図２は、本実施形態に係る記録装置の電気的構成を示すブロック図である。図３は、ヘッドユニットが備えるノズルの配置状態を示す模式図である。
なお、図３では、媒体Ｍ側から見たヘッドユニット５０の状態が図示されている。
最初に、図１〜図３を参照し、本実施形態に係る記録装置１０の概要を説明する。
【００１５】
「記録装置の概要」
図１及び図２に示すように、本実施形態に係る記録装置１０は、外部装置であるコンピューター（ＰＣ）１１０から出力される画像データに基づき、長尺の媒体Ｍに所定の画像を記録するラージフォーマットプリンター（ＬＦＰ）である。
なお、記録装置１０は、光ディスク（ＣＤ−ＲＯＭ、ＤＶＤなど）及びメモリーカードなどの記録媒体から画像データを直接取得し、当該画像データに基づき媒体Ｍに所定の画像を記録する構成であってもよい。
【００１６】
記録装置１０は、シアン、マゼンタ、イエロー、ブラックの４色のインクＣ，Ｍ，Ｙ，Ｋと共に、反応液Ｏｐを記録することにより、媒体Ｍ上にシアンのドットとマゼンタのドットとイエローのドットとブラックのドットとを形成し、媒体Ｍにフルカラーの画像を記録する。
シアン、マゼンタ、イエロー、ブラックの４色のインクＣ，Ｍ，Ｙ，Ｋは、「第１液体」の一例であり、溶媒（水）と、顔料（色材）と、樹脂エマルジョン（または、樹脂微粒子）とを含む水系顔料インクである。顔料には分散処理がなされ、顔料の表面に電荷が帯電し、顔料同士が静電気によって反発し、顔料が水の中に均一に分散するようになっている。また、インクＣ，Ｍ，Ｙ，Ｋは、ｐＨ調整剤、緩衝液、定着剤、防腐剤、酸化防止剤、酸素吸収剤などの添加剤を含んでもよい。
なお、以降の説明では、シアン、マゼンタ、イエロー、ブラックの４色のインクＣ，Ｍ，Ｙ，Ｋを、カラーインクＦと称す。
【００１７】
反応液Ｏｐは、溶媒（水）と、凝集剤と、界面活性剤とを含む。凝集剤としては、顔料の凝集反応を引き起こすことが可能な多価金属電、例えば、酢酸カルシウム、硝酸カルシウム、硫酸マグネシウムなどを使用することができる。すなわち、凝集剤は、顔料の表面に帯電する電荷を中和し、顔料を凝集させる。界面活性剤としては、アセチレングリコール系界面活性剤、フッ素系界面活性剤、シリコーン系界面活性剤などを使用することができる。
【００１８】
本実施形態では、凝集剤の濃度が概略１質量％である反応液Ｏｐと、凝集剤の濃度が概略５質量％である反応液Ｏｐとが使用されている。
なお、本願における濃度は、反応液Ｏｐに含まれる凝集剤の濃度を意味する。凝集剤の濃度が概略１質量％である反応液Ｏｐは、「第２液体」の一例である。凝集剤の濃度が概略５質量％である反応液Ｏｐは、「第３液体」の一例であり、凝集剤の濃度が概略１質量％である反応液Ｏｐよりも凝集剤の濃度が高い。
以降の説明では、凝集剤の濃度が概略１質量％である反応液Ｏｐを低濃度の反応液Ｏｐ１と称し、凝集剤の濃度が概略５質量％である反応液Ｏｐを高濃度の反応液Ｏｐ２と称す。
【００１９】
媒体Ｍは、カラーインクＦが吸収されにくい材料により構成される非吸収性媒体または低吸収性媒体である。例えば、媒体Ｍの構成材料は、塩化ビニル樹脂である。なお、媒体Ｍは、紙や布等のカラーインクＦが吸収されやすい吸収性媒体であってもよい。
【００２０】
記録装置１０は、移動部２０と、「記録ユニット」の一例であるヘッドユニット５０と、加熱部６０と、「制御部」の一例である制御ユニット９０とを備える。
移動部２０は、媒体Ｍに画像を記録するために、媒体Ｍ及びヘッドユニット５０の移動を実行する。移動部２０は、副走査部４０と、主走査部３０とを有する。副走査部４０は、媒体Ｍを図中に白抜きの矢印で示される搬送方向Ｙに搬送し、媒体Ｍをヘッドユニット５０の近傍と加熱部６０の近傍とを通過させる。
副走査部４０は、繰出部４１と、支持部４２と、複数の搬送ローラー４３と、巻取部４４とを有する。繰出部４１は、ロール状に巻回された記録前の媒体Ｍを、図示しない駆動モーターにより回転させて繰り出す。支持部４２は、搬送方向Ｙに搬送される媒体Ｍを支持する。複数の搬送ローラー４３は、「搬送部」の一例であり、図示しない駆動モーターにより回転して、支持部４２上の媒体Ｍを搬送方向Ｙに搬送する。巻取部４４は、記録後の媒体Ｍを巻き取る。
すなわち、本実施形態は、複数の搬送ローラー４３がヘッドユニット５０に対して媒体Ｍを搬送方向Ｙに相対移動させる構成を有する。
【００２１】
主走査部３０は、媒体Ｍに対してヘッドユニット５０を主走査方向Ｘに移動させる。主走査方向Ｘは、搬送方向Ｙに交差する方向である。主走査部３０は、ガイド軸３１と、キャリッジ３２とを有する。ガイド軸３１は、２本の棒状部材で構成され、長手方向が主走査方向Ｘと平行に配置されている。ガイド軸３１は、キャリッジ３２を移動可能に支持している。キャリッジ３２は、図示しないキャリッジモーターによって駆動され、ガイド軸３１に沿って主走査方向Ｘに往復移動する。
【００２２】
ヘッドユニット５０は、キャリッジ３２に搭載され、媒体Ｍと対向している。ヘッドユニット５０は、キャリッジ３２の往復動作に伴い、主走査方向Ｘに往復移動する。
記録装置１０では、ヘッドユニット５０が、カラーインクＦまたは反応液Ｏｐを記録しながら、主走査方向Ｘに移動する主走査と、媒体Ｍが搬送方向Ｙに移動する副走査とを交互に繰り返すことにより、媒体Ｍに画像を記録する。また、１回の副走査における媒体Ｍの移動量は、長さＬである。
以降の説明では、１回の主走査を「パス」と称す場合がある。すなわち、本願におけるパスは、ヘッドユニット５０が、カラーインクＦまたは反応液Ｏｐを記録しながら、主走査方向Ｘに移動することである。
【００２３】
加熱部６０は、ヘッドユニット５０に対して搬送方向Ｙの下流側に配置されている。加熱部６０は、ヘッドユニット５０を通過した後の媒体Ｍを加熱し、媒体Ｍ上のカラーインクＦ及び反応液Ｏｐの溶媒成分を蒸発させて乾燥させる。
加熱部６０は、内部に図示しない発熱体を有し、加熱された空気を送風するとともに、赤外線を放射することにより媒体Ｍを加熱する。なお、加熱された空気の送風と赤外線の放射とのうちの一方を省略してもよく、他の任意の方式の加熱装置を加熱部６０として用いてもよい。また、加熱部６０の主走査方向Ｘの長さは、媒体Ｍの主走査方向Ｘの長さと一致していてもよく、媒体Ｍの主走査方向Ｘの長さより長くてもよい。
【００２４】
制御ユニット９０は、記録装置１０の全体を制御する制御部である。制御ユニット９０は、インターフェイス部（Ｉ／Ｆ）９１、ＣＰＵ９２、メモリー９３などを備えている。
Ｉ／Ｆ９１は、ＰＣ１１０と記録装置１０との間でデータの送受信を行う。ＰＣ１１０と記録装置１０との間は、直接、ケーブル等で接続してもよいし、ネットワーク等を介して間接的に接続してもよい。また、無線通信を介して、ＰＣ１１０と記録装置１０との間でデータを送受信してもよい。
ＣＰＵ９２は、記録装置１０全体の制御を行うための演算処理装置である。
メモリー９３は、ＣＰＵ９２が動作するプログラムを格納する領域や動作する作業領域などを確保する記憶媒体であり、ＲＡＭ、ＥＰＲＯＭなどの記憶素子によって構成される。
制御ユニット９０は、ＰＣ１１０から出力される画像データに基づき記録データを作成し、当該記録データに従って、移動部２０、ヘッドユニット５０、加熱部６０などを制御する。
なお、ＰＣ１１０が記録データを作成し、制御ユニット９０は、ＰＣ１１０から受信する記録データに基づいて、移動部２０、ヘッドユニット５０、加熱部６０などを制御する構成であってもよい。
【００２５】
図３に示すように、ヘッドユニット５０は、各色（シアン、マゼンタ、イエロー、ブラック）のカラーインクＦを記録する二つのノズルチップ５１，５２（第１ノズルチップ５１、第２ノズルチップ５２）と、反応液Ｏｐを記録する第３ノズルチップ５３とを有する。
なお、ノズルチップ５１，５２（第１ノズルチップ５１、第２ノズルチップ５２）は、「第１記録部」の一例である。第３ノズルチップ５３は、「第２記録部」及び「第３記録部」の一例である。
第１ノズルチップ５１は第２ノズルチップ５２に対して搬送方向Ｙの下流側に配置され、第３ノズルチップ５３は第２ノズルチップ５２に対して搬送方向Ｙの上流側に配置され、第２ノズルチップ５２は第１ノズルチップ５１と第３ノズルチップ５３との間に配置されている。すなわち、本実施形態は、ノズルチップ５１，５２（第１ノズルチップ５１、第２ノズルチップ５２）が、第３ノズルチップ５３よりも搬送方向Ｙの下流側に配置される構成を有する。
【００２６】
ノズルチップ５１，５２，５３は、カラーインクＦまたは反応液Ｏｐを記録するための構造を有する部品である。例えば、ノズルチップ５１，５２，５３は、ノズルＮｚやピエゾ素子（図示省略）やインク室（図示省略）が、半導体製造技術（いわゆるＭＥＭＳ）により集積して製造された部品である。
ノズルチップ５１，５２，５３の媒体Ｍと対向する面には、カラーインクＦまたは反応液Ｏｐを記録するためのノズルＮｚが複数形成されている。
【００２７】
第１ノズルチップ５１及び第２ノズルチップ５２は、それぞれ各色（シアン、マゼンタ、イエロー、ブラック）のカラーインクＦを記録するノズルＮｚが配列されたノズル列５５Ｃ，５５Ｍ，５５Ｙ，５５Ｋを有する。第１ノズルチップ５１及び第２ノズルチップ５２において、シアンのインクＣを記録するノズル列５５Ｃと、マゼンタのインクＭを記録するノズル列５５Ｍと、イエローのインクＹを記録するノズル列５５Ｙと、ブラックのインクＫを記録するノズル列５５Ｋとは、主走査方向Ｘに沿って順に配置されている。
ノズル列５５Ｃ，５５Ｍ，５５Ｙ，５５Ｋは、搬送方向Ｙに沿って一定の間隔（ノズルピッチｄｐ）で整列して並ぶ♯１〜♯２００の２００個のノズルＮｚを有している。
以降の説明では、カラーインクＦを記録するノズルＮｚを、ノズルＮＦと称する場合がある。
【００２８】
第３ノズルチップ５３は、低濃度の反応液Ｏｐ１を記録するノズルＮｚが配列されたノズル列Ａ１，Ａ２と、高濃度の反応液Ｏｐ２を記録するノズルＮｚが配列されたノズル列Ａ３，Ａ４とを有する。低濃度の反応液Ｏｐ１を記録するノズル列Ａ１と、低濃度の反応液Ｏｐ１を記録するノズル列Ａ２と、高濃度の反応液Ｏｐ２を記録するノズル列Ａ３と、高濃度の反応液Ｏｐ２を記録するノズル列Ａ４とは、主走査方向Ｘに沿って順に配置されている。
ノズル列Ａ１，Ａ２，Ａ３，Ａ４は、搬送方向Ｙに沿って一定の間隔（ノズルピッチｄｐ）で整列して並ぶ♯１〜♯２００の２００個のノズルＮｚを有している。
以降の説明では、低濃度の反応液Ｏｐ１を記録するノズルＮｚ及び高濃度の反応液Ｏｐ２を記録するノズルＮｚをノズルＮＲと称す場合がある。
【００２９】
なお、第３ノズルチップ５３において、低濃度の反応液Ｏｐ１を記録するノズル列Ａ１，Ａ２を有する部分は「第２記録部」の一例であり、高濃度の反応液Ｏｐ２を記録するノズル列Ａ３，Ａ４を有する部分は「第３記録部」の一例である。第３ノズルチップ５３において、低濃度の反応液Ｏｐ１を記録するノズル列Ａ１，Ａ２を有する部分では、低濃度の反応液Ｏｐ１を記録するための構成要素（ノズルＮｚ、ピエゾ素子、インク室など）が形成され、高濃度の反応液Ｏｐ２を記録するノズル列Ａ３，Ａ４を有する部分では、高濃度の反応液Ｏｐ２を記録するための構成要素（ノズルＮｚ、ピエゾ素子、インク室など）が形成されている。
また、低濃度の反応液Ｏｐ１を記録するノズル列Ａ１，Ａ２を有する部分と、高濃度の反応液Ｏｐ２を記録するノズル列Ａ３，Ａ４を有する部分とを、同じノズルチップ（第３ノズルチップ５３）に形成するのではなく、それぞれ異なるノズルチップに形成してもよい。
【００３０】
ノズル列５５Ｃ，５５Ｍ，５５Ｙ，５５Ｋにおけるノズルピッチｄｐと、ノズル列Ａ１，Ａ２，Ａ３，Ａ４におけるノズルピッチｄｐとは同じである。
第１ノズルチップ５１における搬送方向Ｙの上流側端部のノズルＮｚと、第２ノズルチップ５２における搬送方向Ｙの下流側端部のノズルＮｚとの間隔は、各ノズルチップにおけるノズルピッチｄｐと等しい。第２ノズルチップ５２における搬送方向Ｙの上流側端部のノズルＮｚと、第３ノズルチップ５３における搬送方向Ｙの下流側端部のノズルＮｚとの間隔は、各ノズルチップにおけるノズルピッチｄｐと等しい。
なお、主走査方向Ｘ側から見た場合、第１ノズルチップ５１の搬送方向Ｙの上流側端部のノズルＮｚと、第２ノズルチップ５２の搬送方向Ｙの下流側端部のノズルＮｚとが重なるように配置され、第２ノズルチップ５２の搬送方向Ｙの上流側端部のノズルＮｚと、第３ノズルチップ５３の搬送方向Ｙの下流側端部のノズルＮｚとが重なるように配置される構成であってもよい。
【００３１】
各ノズルチップ５１，５２，５３における搬送方向Ｙの上流側端のノズルＮｚと搬送方向Ｙの下流側端のノズルＮｚとの距離は、長さ２Ｌである。各ノズルチップ５１，５２，５３における搬送方向Ｙの上流側端のノズルＮｚと搬送方向Ｙの下流側端のノズルＮｚとの距離（長さ２Ｌ）は、１回の副走査における媒体Ｍの移動量（長さＬ）の２倍に設定されている。
なお、各ノズルチップ５１，５２，５３における搬送方向Ｙの上流側端のノズルＮｚと搬送方向Ｙの下流側端のノズルＮｚとの距離は、１回の副走査における媒体Ｍの移動量（長さＬ）の２倍より短くてもよく、１回の副走査における媒体Ｍの移動量（長さＬ）の２倍より長くてもよい。
【００３２】
なお、ヘッドユニット５０は、カラーンインクＦを記録するノズルＮＦが搬送方向Ｙの下流側に配置され、反応液Ｏｐを記録するノズルＮＲが搬送方向Ｙの上流側に配置され、且つ、カラーンインクＦを記録するノズルＮＦと反応液Ｏｐを記録するノズルＮＲとが等間隔（ノズルピッチｄｐ）で搬送方向Ｙに沿って順に配置されているものと見なすことができる（図７参照）。
【００３３】
「記録データの生成方法」
図４は、記録データの生成方法を示すフロー図である。図５は、記録領域に記録されるインクの液量の総和と、記録領域に記録される反応液の液量との関係を示すグラフである。
図５の太い実線は、記録領域Ｒ（図７参照）に記録されるカラーインクＦの液量の総和と、記録領域Ｒに記録される低濃度の反応液Ｏｐ１との関係を示している。図５の太い破線は、記録領域Ｒに記録されるカラーインクＦの液量の総和と、記録領域Ｒに記録される高濃度の反応液Ｏｐ２との関係を示している。換言すれば、図５は、記録領域Ｒに記録されるカラーインクＦの液量の総和と、記録領域Ｒに記録される反応液Ｏｐの液量とを１対１に対応付ける反応液ルックアップテーブルＬＵＴである。
図５の横軸は記録領域Ｒに記録されるカラーインクＦの液量の総和であり、図５の縦軸は記録領域Ｒに記録される反応液Ｏｐの液量である。さらに、記録領域Ｒに記録されるカラーインクＦの液量の総和は、カラーインクＦの液量の総和が小さい領域ＳＲと、カラーインクＦの液量の総和が大きい領域ＬＲと、領域ＳＲと領域ＬＲとの間の領域ＭＲとに区分される。
以降の説明では、インクの液量の総和が小さい領域ＳＲを小領域ＳＲと称し、領域ＳＲと領域ＬＲとの間の領域ＭＲを中領域ＭＲと称し、カラーインクＦの液量の総和が大きい領域ＬＲを大領域ＬＲと称す。
次に、図４及び図５を参照し、制御ユニット９０が実行する記録データの生成方法について説明する。
【００３４】
記録装置１０では、制御ユニット９０が、ＰＣ１１０から出力される画像データを取得し、記録データを生成する。さらに、制御ユニット９０は、当該記録データに基づき、移動部２０、ヘッドユニット５０、加熱部６０などを制御し、媒体Ｍに所定の画像を形成する。
図４に示すように、制御ユニット９０が記録データを生成する工程は、解像度変換処理を実施する工程（ステップＳ１）と、色変換処理を実施する工程（ステップＳ２）と、ハーフトーン処理を実施する工程（ステップＳ３）と、ラスタライズ処理を実施する工程（ステップＳ４）と、コマンド付加処理を実施する工程（ステップＳ５）とを含む。
【００３５】
ステップＳ１では、制御ユニット９０は、ＰＣ１１０から出力される画像データを媒体Ｍに記録する際の解像度に変換する解像度変換処理を実施する。
例えば、記録解像度が７２０×７２０ｄｐｉに指定されている場合、ＰＣ１１０から受け取ったベクター形式の画像データを、７２０×７２０ｄｐｉの解像度のビットマップ形式の画像データに変換する。解像度変換処理後の画像データの各画素データは、マトリクス状に配置された画素から構成される。解像度変換処理後の画像データの各画素データは、ＲＧＢ色空間の２５６階調の階調値を示すデータである。つまり、解像度変換後の画像データの各画素データは、対応する画素の階調値を示すものである。
【００３６】
ステップＳ２では、制御ユニット９０は、ＲＧＢデータをＣＭＹＫ色系空間のデータに変換する色変換処理を行う。
色変換処理は、ＲＧＢデータをＣＭＹＫ色系空間のデータに変換する処理である。ＣＭＹＫ色とは、シアンとマゼンタとイエローとブラックとからなる色であり、ＣＭＹＫ色系空間の画像データは、記録装置１０が有するカラーインクＦ（インクＣ，Ｍ，Ｙ，Ｋ）の色に対応したデータである。本実施形態では、記録装置１０は４種類のインクを使用するので、制御ユニット９０は、ＲＧＢデータに基づいて、ＣＭＹＫ色系の４次元空間の画像データを生成する。
この色変換処理は、ＲＧＢデータの階調値とＣＭＹＫ色系データの階調値とを対応づけるルックアップテーブルに基づいて行われる。なお、色変換処理後の画素データは、ＣＭＹＫ色系空間により表される例えば２５６階調のＣＭＹＫ色系データである。
色変換処理後の画像データは、記録領域Ｒの各画素に記録されるカラーインクＦの液量と、記録領域Ｒに記録されるカラーインクＦの液量の総和とを含む。また、色変換処理後の画像データに含まれるカラーインクＦの液量及びカラーインクＦの液量の総和は、「第１液体の液量データ」の一例である。
【００３７】
さらに、ステップＳ２では、制御ユニット９０は、記録領域Ｒに記録されるカラーインクＦの液量の総和を算出した後に、図５に示す反応液ルックアップテーブルＬＵＴに基づき、記録領域Ｒに記録される反応液Ｏｐの液量を算出する。
なお、記録領域Ｒに記録される反応液Ｏｐの液量を算出方法の詳細は、後述する。
【００３８】
ステップＳ３では、制御ユニット９０は、高階調数（２５６階調）のデータを、記録装置１０が形成可能な階調数のデータに変換するハーフトーン処理を実施する。このハーフトーン処理により、２５６階調を示すデータが、例えば、２階調（ドット有り、無し）を示す１ビットデータや、４階調（ドット無し、小ドット、中ドット、大ドット）を示す２ビットデータなど、ドットの形成状態を決定するハーフトーンデータに変換される。
【００３９】
ステップＳ４では、制御ユニット９０は、マトリクス状に並ぶ画素データ（例えば、上述した１ビットや２ビットのハーフトーンデータ）を、記録時のドット形成順序に従って並べ替えるラスタライズ処理を実施する。ラスタライズ処理には、ハーフトーン処理後の画素データ（ハーフトーンデータ）によって構成される画像データを、ヘッドユニット５０が主走査方向Ｘに移動しながらカラーインクＦまたは反応液Ｏｐを記録する各主走査に割り付ける割り付け処理が含まれる。
【００４０】
ステップＳ５では、制御ユニット９０は、ラスタライズ処理されたデータに、記録方式に応じたコマンドデータを付加するコマンド付加処理を実施し、記録データを生成する。なお、コマンドデータには、例えば媒体Ｍの搬送仕様（搬送方向Ｙへの移動量や速度など）に関わる搬送データが含まれる。
【００４１】
「記録装置の記録方法」
図６は、本実施形態に係る記録装置の記録方法を示す工程フローである。図７は、本実施形態に係る記録装置の記録方法の説明図である。
上述したように、記録装置１０では、ヘッドユニット５０が、反応液ＯｐまたはカラーインクＦを記録しながら主走査方向Ｘに移動する主走査（パス）と、媒体Ｍが搬送方向Ｙに移動する副走査とが交互に繰り返され、媒体Ｍに画像が記録される。
図７には、主走査（パス）における媒体Ｍに対するヘッドユニット５０の相対的な位置関係が示されている。
【００４２】
図７において、符号Ｐ１は１回目のパスにおけるヘッドユニット５０の位置を示し、符号Ｐ２は２回目のパスにおけるヘッドユニット５０の位置を示し、符号Ｐ１は３回目のパスにおけるヘッドユニット５０の位置を示し、符号Ｐ４は４回目のパスにおけるヘッドユニット５０の位置を示し、符号Ｐ５は５回目のパスにおけるヘッドユニット５０の位置を示し、符号Ｐ６は６回目のパスにおけるヘッドユニット５０の位置を示し、符号Ｐ７は７回目のパスにおけるヘッドユニット５０の位置を示す。
なお、記録装置１０では、複数のパスを繰り返して、媒体Ｍに画像を形成する。例えば、複数のパスにおける任意のパスをｎ回目のパスとした場合、ｎ＋１回目のパスが１回目のパスに相当し、ｎ＋２回目のパスが２回目のパスに相当し、ｎ＋３回目のパスが３回目のパスに相当し、ｎ＋４回目のパスが４回目のパスに相当し、ｎ＋５回目のパスが５回目のパスに相当し、ｎ＋６回目のパスが６回目のパスに相当し、ｎ＋７回目のパスが７回目のパスに相当する。
【００４３】
図７では、カラーインクＦを記録するノズルＮＦが丸（○）で示され、反応液Ｏｐを記録するノズルＮＲが三角（△）で示されている。Ｐ１〜Ｐ７におけるヘッドユニット５０は、カラーンインクＦを記録するノズルＮＦが搬送方向Ｙの下流側に配置され、反応液Ｏｐを記録するノズルＮＲが搬送方向Ｙの上流側に配置され、且つ、カラーンインクＦを記録するノズルＮＦと反応液Ｏｐを記録するノズルＮＲとが等間隔（ノズルピッチｄｐ）で搬送方向Ｙに沿って順に配置されている状態で図示されている。
なお、図７では、ヘッドユニット５０が媒体Ｍに対して移動しているように描かれているが、実際には媒体Ｍが搬送方向Ｙに移動する。また、図７において、Ｘ方向におけるヘッドユニット５０の位置関係は意味を成さない。
【００４４】
１回のパスでヘッドユニット５０から媒体Ｍに対してカラーインクＦまたは反応液Ｏｐが記録される領域が記録領域Ｒである。さらに、記録領域Ｒは、１回のパスでヘッドユニット５０から媒体Ｍに対してカラーインクＦまたは反応液Ｏｐが記録される領域であることに加えて、１回のパスでヘッドユニット５０からカラーインクＦまたは反応液Ｏｐが記録される領域の媒体Ｍを意味する。すなわち、図７における記録領域Ｒは、「本願の記録装置の記録方法における媒体」の一例である。
また、図７では、主走査（パス）と副走査とを交互に繰り返し、記録領域Ｒ１、記録領域Ｒ２、記録領域Ｒ３の順に画像を形成するものとする。
次に、図６及び図７を参照し、本実施形態に係る記録装置１０の記録方法を説明する。
【００４５】
記録装置１０では、制御ユニット９０が、ＰＣ１１０から出力される画像データに基づき記録データを生成し、当該記録データに基づき移動部２０とヘッドユニット５０とを制御し、媒体Ｍに対して反応液Ｏｐを記録（塗布）し、媒体Ｍに対する反応液Ｏｐの記録を行い、さらに、反応液Ｏｐが記録された媒体Ｍに対してカラーインクＦを記録し、媒体Ｍに対するカラーインクＦの記録を行う。そして、記録装置１０は、カラーインクＦによって媒体Ｍにフルカラーの画像を形成する。
図６に係る記録装置の記録方法は、図７における複数の記録領域の単位の内の一つに対して記録する工程フローである。反応液Ｏｐを記録する工程（ステップＳ１１）と、媒体Ｍを搬送方向Ｙに搬送する工程（ステップＳ１２）と、反応液Ｏｐを記録する工程（ステップＳ１３）と、媒体Ｍを搬送方向Ｙに搬送する工程（ステップＳ１４）と、カラーインクＦを記録する工程（ステップＳ１５）と、媒体Ｍを搬送方向Ｙに搬送する工程（ステップＳ１６）と、カラーインクＦを記録する工程（ステップＳ１７）と、媒体Ｍを搬送方向Ｙに搬送する工程（ステップＳ１８）と、カラーインクＦを記録する工程（ステップＳ１９）と、媒体Ｍを搬送方向Ｙに搬送する工程（ステップＳ２０）と、カラーインクＦを記録する工程（ステップＳ２１）と、媒体Ｍを搬送方向Ｙに搬送する工程（ステップＳ２２）とを含む。
なお、ステップＳ１１とステップＳ１３とは、「第１の記録と第２の記録とのうちから選択して媒体への記録を実施する工程」の一例である。ステップＳ１５とステップＳ１７とステップＳ１９とステップＳ２１とは、「第１液体を媒体に記録する工程」の一例である。
【００４６】
ステップＳ１１では、１回目のパスが実施され、制御ユニット９０は、ノズルＮＲから反応液Ｏｐが記録され、ノズルＮＦからカラーンインクＦが記録されるように、ヘッドユニット５０を制御する。
図７に示すように、反応液Ｏｐを記録するノズルＮＲは、カラーンインクＦを記録するノズルＮＦに対して搬送方向Ｙの下流側に配置されているので、記録領域Ｒ１に対して反応液Ｏｐが記録される。
ステップＳ１２では、媒体Ｍが搬送方向Ｙに移動する副走査が実施され、続いてステップＳ１３が実施される。なお、１回の副走査における媒体Ｍの移動量は長さＬである。
【００４７】
ステップＳ１３では、２回目のパスが実施され、制御ユニット９０は、ノズルＮＲから反応液Ｏｐが記録され、ノズルＮＦからカラーンインクＦが記録されるように、ヘッドユニット５０を制御する。
図７に示すように、ヘッドユニット５０は、媒体Ｍに対して長さＬ相対移動した状態で、反応液Ｏｐ及びカラーンインクＦを記録するので、記録領域Ｒ１に対して反応液Ｏｐが記録され、記録領域Ｒ２に対して反応液Ｏｐが記録される。
本実施形態では、２回のパス（ステップＳ１１，Ｓ１３）によって、記録領域Ｒ１に反応液Ｏｐを記録する。
ステップＳ１４では、媒体Ｍが搬送方向Ｙに移動する副走査が実施され、続いてステップＳ１５が実施される。
【００４８】
ステップＳ１５では、３回目のパスが実施され、制御ユニット９０は、ノズルＮＲから反応液Ｏｐが記録され、ノズルＮＦからカラーンインクＦが記録されるように、ヘッドユニット５０を制御する。
図７に示すように、ヘッドユニット５０は、媒体Ｍに対して長さＬ相対移動した状態で、反応液Ｏｐ及びカラーンインクＦを記録するので、記録領域Ｒ１に対してカラーインクＦが記録され、記録領域Ｒ２に対して反応液Ｏｐが記録され、記録領域Ｒ３に対して反応液Ｏｐが記録される。そして、２回のパス（ステップＳ１３，Ｓ１５）によって、記録領域Ｒ２に反応液Ｏｐが記録される。
ステップＳ１６では、媒体Ｍが搬送方向Ｙに移動する副走査が実施され、続いてステップＳ１７が実施される。
【００４９】
ステップＳ１７では、４回目のパスが実施され、制御ユニット９０は、ノズルＮＲから反応液Ｏｐが記録され、ノズルＮＦからカラーンインクＦが記録されるように、ヘッドユニット５０を制御する。
図７に示すように、ヘッドユニット５０は、媒体Ｍに対して長さＬ相対移動した状態で、反応液Ｏｐ及びカラーンインクＦを記録するので、記録領域Ｒ１に対してカラーインクＦが記録され、記録領域Ｒ２に対してカラーインクＦが記録され、記録領域Ｒ３に対して反応液Ｏｐが記録され、記録領域Ｒ４に対して反応液Ｏｐが記録される。そして、２回のパス（ステップＳ１５，１７）によって、記録領域Ｒ３に反応液Ｏｐが記録される。
ステップＳ１８では、媒体Ｍが搬送方向Ｙに移動する副走査が実施され、続いてステップＳ１９が実施される。
【００５０】
ステップＳ１９では、５回目のパスが実施され、制御ユニット９０は、ノズルＮＲから反応液Ｏｐが記録され、ノズルＮＦからカラーンインクＦが記録されるように、ヘッドユニット５０を制御する。
図７に示すように、ヘッドユニット５０は、媒体Ｍに対して長さＬ相対移動した状態で、反応液Ｏｐ及びカラーンインクＦを記録するので、記録領域Ｒ１に対してカラーインクＦが記録され、記録領域Ｒ２に対してカラーインクＦが記録され、記録領域Ｒ３に対してカラーインクＦが記録され、記録領域Ｒ４に対して反応液Ｏｐが記録され、記録領域Ｒ５に対して反応液Ｏｐが記録される。そして、２回のパス（ステップＳ１７，１９）によって、記録領域Ｒ４に反応液Ｏｐが記録される。
ステップＳ２０では、媒体Ｍが搬送方向Ｙに移動する副走査が実施され、続いてステップＳ２１が実施される。
【００５１】
ステップＳ２１では、６回目のパスが実施され、制御ユニット９０は、ノズルＮＲから反応液Ｏｐが記録され、ノズルＮＦからカラーンインクＦが記録されるように、ヘッドユニット５０を制御する。
図７に示すように、ヘッドユニット５０は、媒体Ｍに対して長さＬ相対移動した状態で、反応液Ｏｐ及びカラーンインクＦを記録するので、記録領域Ｒ１に対してカラーインクＦが記録され、記録領域Ｒ２に対してカラーインクＦが記録され、記録領域Ｒ３に対してカラーインクＦが記録され、記録領域Ｒ４に対してカラーインクＦが記録され、記録領域Ｒ５に対して反応液Ｏｐが記録され、記録領域Ｒ６に対して反応液Ｏｐが記録される。そして、２回のパス（ステップＳ１９，Ｓ２１）によって、記録領域Ｒ５に反応液Ｏｐが記録される。
本実施形態では、４回のパス（ステップＳ１５，Ｓ１７，Ｓ１９，Ｓ２１）によって、記録領域Ｒ１にカラーインクＦを記録する。
ステップＳ２２では、媒体Ｍが搬送方向Ｙに移動する副走査が実施され、続いて次のステップ（主走査）が実施される。
【００５２】
このように、記録領域Ｒ１には、２回のパス（ステップＳ１１，Ｓ１３）によって反応液Ｏｐが記録された後に、４回のパス（ステップＳ１５，Ｓ１７，Ｓ１９，Ｓ２１）によってカラーインクＦが記録される。そして、記録領域Ｒ１にフルカラーの画像が形成される。
記録領域Ｒ１以外の他の記録領域Ｒ（記録領域Ｒ２，Ｒ３，Ｒ４，Ｒ５，Ｒ６など）に対しても、記録領域Ｒ１と同様に、２回のパスによって反応液Ｏｐが記録された後に、４回のパスによってカラーインクＦが記録され、記録領域Ｒにフルカラーの画像が形成される。
【００５３】
このように、本実施形態に係る記録装置１０の記録方法では、最初に反応液Ｏｐ１，Ｏｐ２（反応液Ｏｐ）を媒体Ｍ（記録領域Ｒ）記録した後に、次にカラーインクＦを媒体Ｍ（記録領域Ｒ）に記録する。
すなわち、制御ユニット９０は、低濃度の反応液Ｏｐ１と高濃度の反応液Ｏｐ２とを併用して反応液Ｏｐを記録領域Ｒに記録すること（第１の記録）と、低濃度の反応液Ｏｐ１と高濃度の反応液Ｏｐ２とを併用せず低濃度の反応液Ｏｐ１を記録領域Ｒに記録すること（第２の記録）と、低濃度の反応液Ｏｐ１と高濃度の反応液Ｏｐ２とを併用せず高濃度の反応液Ｏｐ２を記録領域Ｒに記録すること（第２の記録）とのうちから選択して、媒体Ｍへの反応液Ｏｐの記録を実施した後、カラーインクＦを媒体Ｍに記録する。
【００５４】
ステップＳ１５，Ｓ１７，Ｓ１９，Ｓ２１において記録領域Ｒに記録されるカラーインクＦの条件（種類、液量など）は、上述したステップＳ２において決定される。
さらに、ステップＳ１１，Ｓ１３において記録領域Ｒに記録される反応液Ｏｐの条件（反応液Ｏｐの種類、反応液Ｏｐの液量）も、上述したステップＳ２によって決定される。詳しくは、ステップＳ１１，Ｓ１３において記録領域Ｒに記録される反応液Ｏｐの条件（反応液Ｏｐの種類、反応液Ｏｐの液量）は、反応液ルックアップテーブルＬＵＴ（図５参照）に基づき決定される。
図５に示すように、記録領域Ｒに記録されるカラーインクＦの液量の総和が小さい小領域ＳＲでは、低濃度の反応液Ｏｐ１が選択され、低濃度の反応液Ｏｐ１が記録領域Ｒに記録される。記録領域Ｒに記録されるカラーインクＦの液量の総和が大きい大領域ＬＲでは、高濃度の反応液Ｏｐ２が選択され、高濃度の反応液Ｏｐ２が記録領域Ｒに記録される。記録領域Ｒに記録されるカラーインクＦの液量の総和が小領域ＳＲと大領域ＬＲとの間にある中領域ＭＲでは、低濃度の反応液Ｏｐ１と高濃度の反応液Ｏｐ２とが選択され、低濃度の反応液Ｏｐ１と高濃度の反応液Ｏｐ２とが記録領域Ｒに記録される。
なお、中領域ＭＲにおいて、低濃度の反応液Ｏｐ１と高濃度の反応液Ｏｐ２とが選択され、低濃度の反応液Ｏｐ１と高濃度の反応液Ｏｐ２とを記録領域Ｒに記録することは、「第２液体及び第３液体を併用する第１の記録」の一例である。小領域ＳＲにおいて、低濃度の反応液Ｏｐ１が選択され、低濃度の反応液Ｏｐ１を記録領域Ｒに記録することは、「第２液体及び第３液体を併用しない第２の記録」の一例である。大領域ＬＲにおいて、高濃度の反応液Ｏｐ２が選択され、高濃度の反応液Ｏｐ２を記録領域Ｒに記録することは、「第２液体及び第３液体を併用しない第２の記録」の一例である。
【００５５】
このように、本実施形態に係る記録装置１０は、制御ユニット９０が、低濃度の反応液Ｏｐ１と高濃度の反応液Ｏｐ２とを併用して反応液Ｏｐを記録領域Ｒに記録すること（第１の記録）と、低濃度の反応液Ｏｐ１と高濃度の反応液Ｏｐ２とを併用せず低濃度の反応液Ｏｐ１を記録領域Ｒに記録すること（第２の記録）と、低濃度の反応液Ｏｐ１と高濃度の反応液Ｏｐ２とを併用せず高濃度の反応液Ｏｐ２を記録領域Ｒに記録すること（第２の記録）とのうちから選択して、媒体Ｍへの反応液Ｏｐの記録を実施する構成を有している。
【００５６】
さらに、本実施形態に係る記録装置１０は、制御ユニット９０が、低濃度の反応液Ｏｐ１と高濃度の反応液Ｏｐ２とを記録領域Ｒに記録すること（第１の記録）、低濃度の反応液Ｏｐ１を記録領域Ｒに記録すること（第２の記録）、または高濃度の反応液Ｏｐ２を記録領域Ｒに記録すること（第２の記録）によって、媒体Ｍへの反応液Ｏｐの記録を実施した後、カラーインクＦを記録領域Ｒ（媒体Ｍ）に記録する構成を有している。
【００５７】
さらに、本実施形態に係る記録装置１０の記録方法は、「第１液体を媒体に記録する工程」の一例であるステップＳ１５，Ｓ１７，Ｓ１９，Ｓ２１は、「第１の記録と第２の記録とのうちから選択して媒体への記録を実施する工程」の一例であるステップＳ１１，Ｓ１３の後に実施される構成を有する。
【００５８】
上述したように、媒体Ｍは、カラーインクＦを吸収しにくい非吸収性媒体または低吸収性媒体であるので、カラーインクＦを弾きやすく、媒体Ｍに対してカラーインクＦが記録されると、カラーインクＦは、媒体Ｍによって弾かれ、媒体Ｍの外に排出されやすい。
このため、本実施形態では、事前に反応液Ｏｐを記録領域Ｒ（媒体Ｍ）に対して記録し、反応液Ｏｐが記録された媒体Ｍに対して、カラーインクＦを記録している。
【００５９】
反応液Ｏｐは、水と凝集剤と界面活性剤とを含むので、事前に媒体Ｍに対して反応液Ｏｐを記録すると、凝集剤と界面活性剤とが媒体Ｍに記録され、凝集剤と界面活性剤とが記録された媒体Ｍに対して、カラーインクＦが記録されることになる。
媒体Ｍに記録される界面活性剤は、カラーインクＦの媒体Ｍに対する濡れ性を改善する。このため、カラーインクＦは、媒体Ｍによって弾かれず、媒体Ｍの表面を均一に濡れ広がりやすくなる。
【００６０】
カラーインクＦは、水と顔料と樹脂エマルジョン（樹脂成分）とを含む。顔料は、分散処理がなされ、顔料表面に電荷が帯電し、静電気によって顔料同士が反発し、カラーインクＦの中で顔料が凝集しにくくなっている。カラーインクＦが媒体Ｍに記録されると、顔料は、凝集しにくいので、媒体Ｍの目標位置に沈降（付着）しにくい。
媒体Ｍに記録される凝集剤は、顔料表面の電荷を中和し、顔料を凝縮させる。すると、凝集剤によって凝集した顔料は、媒体Ｍの表面に沈降し、媒体Ｍの目標位置に付着しやすくなる。
【００６１】
さらに、媒体Ｍの表面には、凝集した顔料に加えて、樹脂成分が付着する。媒体Ｍの表面に顔料と樹脂成分とが付着した状態で、加熱部６０によって媒体Ｍを加熱すると、樹脂成分が溶解し、媒体Ｍの表面は顔料を含む樹脂層によって覆われ、顔料が媒体Ｍに定着する。また、加熱部６０による加熱によって、媒体Ｍに付着した水分が蒸発し、媒体Ｍが乾燥する。
【００６２】
このように、本実施形態では、カラーインクＦは、反応液Ｏｐの界面活性剤によって媒体Ｍの表面を均一に濡れ広がりやすくなり、カラーインクＦの顔料は、反応液Ｏｐの凝集剤によって媒体Ｍの目標位置に付着しやすくなるので、例えば、媒体Ｍの記録領域Ｒにおいて、顔料の多い部分（色が濃い部分）と顔料の少ない部分（色が淡い部分）とが混在しにくくなり、色の濃淡ムラが抑制され、顔料が目標位置以外に付着することによる色の滲みが抑制される。そして、媒体Ｍの記録領域Ｒに形成される画像の品位が高められるという効果を得ることができる。
【００６３】
ところが、媒体Ｍに対して過剰の反応液Ｏｐ（凝集剤）が記録され、媒体Ｍに記録されるカラーインクＦ（顔料）の液量と比べて、媒体Ｍに記録される凝集剤の液量が多すぎる場合、顔料と媒体Ｍとの密着性が悪くなり、顔料が媒体Ｍから脱落しやすくなる。媒体Ｍに対して過剰の反応液Ｏｐ（凝集剤）が記録されると、過剰の凝集剤の無機成分（多価金属塩）が、顔料の表面に付着せずに余ってしまい、顔料と媒体Ｍとの間に介在し、顔料と媒体Ｍとの密着性を悪くするものと考えられる。
【００６４】
さらに、媒体Ｍに対して過剰の反応液Ｏｐ（水）が記録され、媒体Ｍに記録される水分が多すぎる場合、媒体Ｍに付着した水分を蒸発させ、媒体Ｍを乾燥させるために、加熱部６０によって、媒体Ｍを長時間加熱する必要がある。このため、加熱部６０による加熱時間が長くなり、記録装置１０の生産性が低下する。
【００６５】
さらに、媒体Ｍに対して記録される反応液Ｏｐ（界面活性剤）の液量が不足し、媒体Ｍに記録されるカラーインクＦの液量と比べて、媒体Ｍに対して記録される界面活性剤の液量が少なすぎる場合、媒体Ｍに対するカラーインクＦの濡れ広がりが悪くなる。すると、媒体Ｍにおいて、カラーインクＦが濡れ広がる部分と、カラーインクＦが濡れ広がりにくい部分とが混在するようになり、媒体Ｍに形成される画像は、粒状感が強いざらついた画像になりやすい。
一方、媒体Ｍに対するカラーインクＦの濡れ広がりが良くなると、媒体Ｍに形成される画像は、粒状感が弱い滑らかな画像になりやすい。
【００６６】
このように、記録領域Ｒ（媒体Ｍ）に対して、事前に反応液Ｏｐを記録する場合、記録領域Ｒ（媒体Ｍ）に記録されるカラーインクＦの液量と比べて、記録領域Ｒ（媒体Ｍ）に記録される反応液Ｏｐの液量が適正でない場合、上述した不具合（顔料と媒体Ｍとの密着性の悪化、生産性の低下、画像の品位の低下など）が生じるおそれがある。このため、本実施形態に係る記録装置１０では、記録領域Ｒ（媒体Ｍ）に対して事前に反応液Ｏｐを記録する場合、記録領域Ｒ（媒体Ｍ）に記録される反応液Ｏｐの液量を適正に制御し、上述した不具合（顔料と媒体Ｍとの密着性の低下、生産性の低下、画像の品位の低下など）を抑制している。
以下に、その詳細を説明する。
【００６７】
制御ユニット９０は、ステップＳ２において、記録領域Ｒに記録されるカラーインクＦの液量の総和を算出した後に、反応液ルックアップテーブルＬＵＴに基づき、記録領域Ｒに記録される反応液Ｏｐの液量を算出する。ヘッドユニット５０は、ステップＳ２で算出された条件で、記録領域ＲにカラーインクＦ及び反応液Ｏｐを記録する。
【００６８】
上述したように、記録領域Ｒに記録されるカラーインクＦの液量の総和が小さい小領域ＳＲでは、反応液ルックアップテーブルＬＵＴから低濃度の反応液Ｏｐ１が選択され、カラーインクＦの液量の総和が小さくなると、低濃度の反応液Ｏｐ１の液量が小さくなるように、低濃度の反応液Ｏｐ１の液量が算出される。
【００６９】
記録領域Ｒに記録されるカラーインクＦの液量の総和が小さい小領域ＳＲでは、中領域ＭＲ及び大領域ＬＲと比べて反応液Ｏｐの液量が小さいので、高濃度の反応液Ｏｐ２が選択されると、低濃度の反応液Ｏｐ１が選択される場合と比べて、小領域ＳＲにおいて媒体Ｍに記録される反応液Ｏｐの液量がさらに小さくなる。
すると、高濃度の反応液Ｏｐ２は、媒体Ｍの表面を均一に覆うことが難しくなり、高濃度の反応液Ｏｐ２が媒体Ｍの表面を覆う部分と、高濃度の反応液Ｏｐ２が媒体Ｍの表面を覆わない部分とが生じ、凝集剤や界面活性剤が媒体Ｍの表面に均一に記録されにくくなるので、凝集剤による顔料の凝集や界面活性剤による濡れ性の改善が不均一になり、媒体Ｍに形成される画像の品位が低下するおそれがある。
【００７０】
このため、本実施形態では、記録領域Ｒに記録されるカラーインクＦの液量の総和が小さい小領域ＳＲにおいて、低濃度の反応液Ｏｐ１が選択される。小領域ＳＲにおいて、低濃度の反応液Ｏｐ１が選択されると、高濃度の反応液Ｏｐ２が選択される場合と比べて、媒体Ｍに記録される反応液Ｏｐの液量が大きくなり、媒体Ｍの表面を均一に覆うために必要な液量を確保しやすくなる。その結果、低濃度の反応液Ｏｐ１は、媒体Ｍの表面を均一に覆いやすくなり、凝集剤や界面活性剤が媒体Ｍの表面に均一に記録され、凝集剤による顔料の凝集効果や界面活性剤による濡れ性の改善が均一になり、媒体Ｍに形成される画像の品位が高められる。
このように、凝集剤による顔料の凝集効果や界面活性剤による濡れ性の改善を均一にするためには、小領域ＳＲにおける反応液Ｏｐは、媒体Ｍの表面を均一に覆うために必要な液量を確保しやすい低濃度の反応液Ｏｐ１が好ましい。従って、記録領域Ｒに記録されるカラーインクＦの液量の総和が小さい小領域ＳＲでは、低濃度の反応液Ｏｐ１を選択することが好ましい。
【００７１】
記録領域Ｒに記録されるカラーインクＦの液量の総和が大きい大領域ＬＲでは、反応液ルックアップテーブルＬＵＴから高濃度の反応液Ｏｐ２が選択され、カラーインクＦの液量の総和が大きくなると、高濃度の反応液Ｏｐ２の液量が大きくなるように、高濃度の反応液Ｏｐ２の液量が算出される。
【００７２】
記録領域Ｒに記録されるカラーインクＦの液量の総和が大きい大領域ＬＲでは、小領域ＳＲ及び中領域ＭＲと比べて反応液Ｏｐの液量が大きいので、低濃度の反応液Ｏｐ１が選択されると、高濃度の反応液Ｏｐ２が選択される場合と比べて、大領域ＬＲにおいて媒体Ｍに記録される反応液Ｏｐの液量がさらに大きくなる。すると、媒体Ｍに記録される反応液Ｏｐ中の水分がさらに多くなり、媒体Ｍを乾燥する乾燥時間（加熱部６０による加熱時間）がさらに長くなり、記録装置１０の生産性が大きく低下する。
【００７３】
このため、本実施形態では、記録領域Ｒに記録されるカラーインクＦの液量の総和が大きい大領域ＬＲにおいて、高濃度の反応液Ｏｐ２が選択される。大領域ＬＲにおいて、高濃度の反応液Ｏｐ２が選択されると、低濃度の反応液Ｏｐ１が選択される場合と比べて、媒体Ｍに記録される反応液Ｏｐの液量が小さくなり、媒体Ｍに記録される反応液Ｏｐ中の水分が少なくなり、媒体Ｍを乾燥する乾燥時間（加熱部６０による加熱時間）が短くなり、低濃度の反応液Ｏｐ１が選択される場合に生じる記録装置１０の大きな生産性の低下を抑制することができる。
従って、記録領域Ｒに記録されるカラーインクＦの液量の総和が大きい大領域ＬＲでは、高濃度の反応液Ｏｐ２を選択することが好ましい。
【００７４】
記録領域Ｒに記録されるカラーインクＦの液量の総和が中領域ＭＲに区分される場合、低濃度の反応液Ｏｐ１及び高濃度の反応液Ｏｐ２が選択され、カラーインクＦの液量の総和が小さくなると、低濃度の反応液Ｏｐ１の液量を高濃度の反応液Ｏｐ２の液量で除した比が大きくなるように、低濃度の反応液Ｏｐ１の液量及び高濃度の反応液Ｏｐ２の液量のそれぞれが算出される。すなわち、カラーインクＦの液量の総和が小さくなると、低濃度の反応液Ｏｐ１の液量が相対的に大きくなり、カラーインクＦの液量の総和が大きくなると、高濃度の反応液Ｏｐ２の液量が相対的に大きくなるように、低濃度の反応液Ｏｐ１の液量及び高濃度の反応液Ｏｐ２の液量のそれぞれが算出される。
【００７５】
上述したように、小領域ＳＲでは、反応液Ｏｐが媒体Ｍの表面を均一に覆いにくくなるという不具合が生じにくい低濃度の反応液Ｏｐ１が選択され、大領域ＬＲでは、媒体Ｍに記録される反応液Ｏｐ中の水分が大きくなりすぎるという不具合が生じにくい高濃度の反応液Ｏｐ２が選択される。
ところが、小領域ＳＲと大領域ＬＲとの間の中領域ＭＲにおいて、低濃度の反応液Ｏｐ１または大濃度の反応液Ｏｐのいずれかが選択されると、反応液Ｏｐが媒体Ｍの表面を均一に覆いにくくなるという不具合、または媒体Ｍに記録される反応液Ｏｐ中の水分が大きくなりすぎるという不具合のいずれかが生じることになる。
このため、小領域ＳＲと大領域ＬＲとの間の中領域ＭＲにおいて、低濃度の反応液Ｏｐ１及び高濃度の反応液Ｏｐ２の両方が選択され、低濃度の反応液Ｏｐ１及び高濃度の反応液Ｏｐ２のそれぞれに関して適正な液量が算出され、低濃度の反応液Ｏｐ１の液量と高濃度の反応液Ｏｐ２の液量との比率が最適化されるようになっている。
【００７６】
小領域ＳＲと大領域ＬＲとの間の中領域ＭＲにおいて、低濃度の反応液Ｏｐ１及び高濃度の反応液Ｏｐ２の両方を選択し、低濃度の反応液Ｏｐ１の液量及び高濃度の反応液Ｏｐ２の液量のそれぞれを算出することは、反応液Ｏｐの濃度（反応液Ｏｐにおける凝集剤の濃度）を、低濃度と高濃度との間で、任意に調整することに相当する。小領域ＳＲと大領域ＬＲとの間の中領域ＭＲにおいて、反応液Ｏｐにおける凝集剤の濃度を任意に調整すると、反応液Ｏｐが媒体Ｍの表面を均一に覆いにくくなるという不具合、及び媒体Ｍに記録される反応液Ｏｐ中の水分が大きくなりすぎるという不具合の両方を抑制することが可能になる。
従って、小領域ＳＲと大領域ＬＲとの間の中領域ＭＲでは、低濃度の反応液Ｏｐ１及び高濃度の反応液Ｏｐ２の両方を選択し、低濃度の反応液Ｏｐ１の液量及び高濃度の反応液Ｏｐ２の液量のそれぞれを算出し、低濃度の反応液Ｏｐ１の液量と高濃度の反応液Ｏｐ２の液量との比率を最適化することが好ましい。
【００７７】
換言すれば、制御ユニット９０は、記録領域Ｒに記録されるカラーインクＦの液量データに基づき、記録領域Ｒに記録される反応液Ｏｐの種類と、記録領域Ｒに記録される反応液Ｏｐの液量とを選択する（決定する）。
詳しくは、制御ユニット９０は、記録領域Ｒに記録されるカラーインクＦの液量が小領域ＳＲに区分される場合、好ましい反応液Ｏｐの種類（低濃度の反応液Ｏｐ１）を選択し、選択された低濃度の反応液Ｏｐ１の液量を決定する。制御ユニット９０は、記録領域Ｒに記録されるカラーインクＦの液量が大領域ＬＲに区分される場合、好ましい反応液Ｏｐの種類（高濃度の反応液Ｏｐ２）を選択し、選択された高濃度の反応液Ｏｐ２の液量を決定する。
すなわち、制御ユニット９０は、カラーインクＦの液量データに基づいて、低濃度の反応液Ｏｐ１の液量データ及び高濃度の反応液Ｏｐ２の液量データを選択する。
【００７８】
さらに、制御ユニット９０は、記録領域Ｒに記録されるカラーインクＦの液量が中領域ＭＲに区分される場合、好ましい反応液Ｏｐの種類（低濃度の反応液Ｏｐ１、高濃度の反応液Ｏｐ２）を選択し、選択された低濃度の反応液Ｏｐ１及び高濃度の反応液Ｏｐ２の比率、及び、選択された低濃度の反応液Ｏｐ１の液量及び高濃度の反応液Ｏｐ２の液量を決定する。
換言すれば、中領域ＭＲにおいて、制御ユニット９０は、カラーインクＦの液量データに基づいて、低濃度の反応液Ｏｐ１の液量データ及び高濃度の反応液Ｏｐ２の液量データを選択し、且つ、低濃度の反応液Ｏｐ１及び高濃度の反応液Ｏｐ２の比率を決定する。
【００７９】
かかる構成を有することによって、本実施形態に係る記録装置１０は、記録領域Ｒ（媒体Ｍ）に記録される反応液Ｏｐの液量を適正に制御し、記録領域Ｒ（媒体Ｍ）に記録されるカラーインクＦの液量と比べて、記録領域Ｒ（媒体Ｍ）に記録される反応液Ｏｐの液量が適正でない場合に生じる不具合（顔料と媒体Ｍとの密着性の悪化、生産性の低下、画像の品位の低下など）を抑制することができる。
【００８０】
（実施形態２）
図８は、図３に対応する図であり、実施形態２に係る記録装置のヘッドユニットが備えるノズルの配置状態を示す模式図である。図９は、本実施形態に係る記録装置の記録方法を示す工程フローである。図１０は、図７に対応する図であり、本実施形態に係る記録装置の記録方法の説明図である。
本実施形態に係る記録装置と実施形態１に係る記録装置１０とでは、ヘッドユニットの状態と、記録方法とが異なる。この点が、本実施形態に係る記録装置と、実施形態１に係る記録装置１０との主な相違点である。
以下、図８〜図１０を参照し、本実施形態に係る記録装置の概要を、実施形態１との相違点を中心に説明する。また、実施形態１と同一の構成部位については、同一の符号を附し、重複する説明を省略する。
【００８１】
図８に示すように、本実施形態に係る記録装置のヘッドユニット５０Ａは、第１ノズルチップ５１と、第２ノズルチップ５２と、二つの第３ノズルチップ５３とを有する。一方、実施形態１に係る記録装置１０のヘッドユニット５０は、第１ノズルチップ５１と、第２ノズルチップ５２と、一つの第３ノズルチップ５３とを有する。すなわち、本実施形態のヘッドユニット５０Ａは、実施形態１のヘッドユニット５０と比べて、第３ノズルチップ５３の数が一つ多い。
【００８２】
第１ノズルチップ５１は、第２ノズルチップ５２に対して搬送方向Ｙの下流側に配置されている。
二つの第３ノズルチップの５３のうち一方は、第１ノズルチップ５１に対して主走査方向の一方側に配置され、二つの第３ノズルチップの５３のうち一方の搬送方向Ｙの位置と、第１ノズルチップ５１の搬送方向Ｙの位置とは、同じであり、重複する。二つの第３ノズルチップの５３のうち他方は、第２ノズルチップ５２に対して主走査方向の他方側に配置され、二つの第３ノズルチップの５３のうち他方の搬送方向Ｙの位置と、第２ノズルチップ５２の搬送方向Ｙの位置とは、同じであり、重複する。
すなわち、本実施形態は、「第１記録部」の一例であるノズルチップ５１，５２の搬送方向Ｙの位置と、「第２記録部」及び「第３記録部」の一例である第３ノズルチップ５３の搬送方向Ｙの位置とが重複する構成を有する。
さらに、本実施形態のヘッドユニット５０Ａは、実施形態１のヘッドユニット５０と比べて、搬送方向Ｙの長さが短い。
【００８３】
主走査方向Ｘ側から見た場合、二つの第３ノズルチップの５３のうち一方と第１ノズルチップ５１とは、♯１〜♯２００の２００個のノズルＮｚがそれぞれ重なるように、ノズル列５５Ｃ，５５Ｍ，５５Ｙ，５５Ｋとノズル列Ａ１，Ａ２，Ａ３，Ａ４とが配置されている。同様に、主走査方向Ｘ側から見た場合、二つの第３ノズルチップの５３のうち他方と第２ノズルチップ５２とは、♯１〜♯２００の２００個のノズルＮｚがそれぞれ重なるように、ノズル列５５Ｃ，５５Ｍ，５５Ｙ，５５Ｋとノズル列Ａ１，Ａ２，Ａ３，Ａ４とが配置されている。
【００８４】
なお、ヘッドユニット５０Ａは、搬送方向Ｙに沿って等間隔で配列されるカラーンインクＦを記録するノズルＮＦが主走査方向Ｘの一方側に配置され、搬送方向Ｙに沿って等間隔で配列される反応液Ｏｐを記録するノズルＮＲが主走査方向Ｘの他方側に配置され、且つ、主走査方向Ｘ側から見た場合、カラーンインクＦを記録するノズルＮＦと反応液Ｏｐを記録するノズルＮＲとが重なる構成を有するものと見なすことができる（図１０参照）。
【００８５】
図９に係る記録装置の記録方法は、図１０における複数の記録領域の単位の内の一つに対して記録する工程フローである。反応液Ｏｐ及びカラーインクＦを記録する工程（ステップＳ３１）と、媒体Ｍを搬送方向Ｙに搬送する工程（ステップＳ３２）と、媒体Ｍに対して反応液Ｏｐ及びカラーインクＦを記録する工程（ステップＳ３３）と、媒体Ｍを搬送方向Ｙに搬送する工程（ステップＳ３４）と、媒体Ｍに対して反応液Ｏｐ及びカラーインクＦを記録する工程（ステップＳ３５）と、媒体Ｍを搬送方向Ｙに搬送する工程（ステップＳ３６）と、媒体Ｍに対して反応液Ｏｐ及びカラーインクＦを記録する工程（ステップＳ３７）と、媒体Ｍを搬送方向Ｙに搬送する工程（ステップＳ３８）と、を含む。
なお、ステップＳ３１におけるカラーインクＦの記録、ステップＳ３３におけるカラーインクＦの記録、ステップＳ３５におけるカラーインクＦの記録、及びステップＳ３７におけるカラーインクＦの記録は、「第１液体を媒体に記録する工程」の一例である。
さらに、ステップＳ３１における反応液Ｏｐの記録、ステップＳ３３における反応液Ｏｐの記録、ステップＳ３５における反応液Ｏｐの記録、及びステップＳ３７における反応液Ｏｐの記録は、「第１の記録と第２の記録とのうちから選択して媒体への記録を実施する工程」の一例である。
【００８６】
ステップＳ３１では、１回目のパスが実施され、制御ユニット９０は、制御ユニット９０は、ノズルＮＲから反応液Ｏｐが記録され、ノズルＮＦからカラーンインクＦが記録されるように、ヘッドユニット５０を制御する。
図１０に示すように、ヘッドユニット５０は、記録領域Ｒ１に対して反応液Ｏｐ及びカラーインクＦの両方を記録する。すなわち、記録領域Ｒ１に対する反応液Ｏｐの記録と、記録領域Ｒ１に対するカラーインクＦの記録とは、同一パスで実施される。
ステップＳ３２では、媒体Ｍが搬送方向Ｙに移動する副走査が実施され、続いてステップＳ３３が実施される。
【００８７】
ステップＳ３３では、２回目のパスが実施され、制御ユニット９０は、制御ユニット９０は、ノズルＮＲから反応液Ｏｐが記録され、ノズルＮＦからカラーンインクＦが記録されるように、ヘッドユニット５０を制御する。
図１０に示すように、ヘッドユニット５０は、記録領域Ｒ１に対して反応液Ｏｐ及びカラーインクＦの両方を記録し、記録領域Ｒ２に対して反応液Ｏｐ及びカラーインクＦの両方を記録する。
ステップＳ３４では、媒体Ｍが搬送方向Ｙに移動する副走査が実施され、続いてステップＳ３５が実施される。
【００８８】
ステップＳ３５では、３回目のパスが実施され、制御ユニット９０は、制御ユニット９０は、ノズルＮＲから反応液Ｏｐが記録され、ノズルＮＦからカラーンインクＦが記録されるように、ヘッドユニット５０を制御する。
図１０に示すように、ヘッドユニット５０は、記録領域Ｒ１に対して反応液Ｏｐ及びカラーインクＦの両方を記録し、記録領域Ｒ３に対して反応液Ｏｐ及びカラーインクＦの両方を記録し、記録領域Ｒ３に対して反応液Ｏｐ及びカラーインクＦの両方を記録する。
ステップＳ３６では、媒体Ｍが搬送方向Ｙに移動する副走査が実施され、続いてステップＳ３７が実施される。
【００８９】
ステップＳ３７では、４回目のパスが実施され、制御ユニット９０は、制御ユニット９０は、ノズルＮＲから反応液Ｏｐが記録され、ノズルＮＦからカラーンインクＦが記録されるように、ヘッドユニット５０を制御する。
図１０に示すように、ヘッドユニット５０は、記録領域Ｒ１に対して反応液Ｏｐ及びカラーインクＦの両方を記録し、記録領域Ｒ３に対して反応液Ｏｐ及びカラーインクＦの両方を記録し、記録領域Ｒ３に対して反応液Ｏｐ及びカラーインクＦの両方を記録し、記録領域Ｒ４に対して反応液Ｏｐ及びカラーインクＦの両方を記録する。
本実施形態では、４回のパス（ステップＳ３１，Ｓ３３，Ｓ３５，Ｓ３７）によって、記録領域Ｒ１にカラーインクＦを記録し、記録領域Ｒ１にフルカラーの画像を形成する。
記録領域Ｒ１以外の他の記録領域Ｒ（記録領域Ｒ２，Ｒ３，Ｒ４など）に対しても、記録領域Ｒ１と同様に、４回のパスによってカラーインクＦを記録し、フルカラーの画像を形成する。
【００９０】
さらに、本実施形態に係る記録装置の記録方法は、「第１液体を媒体に記録する工程」の一例であるステップステップＳ３１，Ｓ３３，Ｓ３５，Ｓ３７におけるカラーインクＦの記録と、「第１の記録と第２の記録とのうちから選択して媒体への記録を実施する工程」の一例であるステップステップＳ３１，Ｓ３３，Ｓ３５，Ｓ３７における反応液Ｏｐの記録とが、同一パスで実施される構成を有する。
すなわち、制御ユニット９０は、低濃度の反応液Ｏｐ１と高濃度の反応液Ｏｐ２とを併用して反応液Ｏｐを記録領域Ｒ（媒体Ｍ）に記録すること（第１の記録）と、低濃度の反応液Ｏｐ１と高濃度の反応液Ｏｐ２とを併用せず低濃度の反応液Ｏｐ１を記録領域Ｒ（媒体Ｍ）に記録すること（第２の記録）と、低濃度の反応液Ｏｐ１と高濃度の反応液Ｏｐ２とを併用せず高濃度の反応液Ｏｐ２を記録領域Ｒ（媒体Ｍ）に記録すること（第２の記録）とのうちいずれかと、カラーインクＦを記録領域Ｒ（媒体Ｍ）に記録することとを、同一パスで実施する。
【００９１】
反応液Ｏｐを記録領域Ｒ（媒体Ｍ）に対して記録することと、カラーインクＦを記録領域Ｒ（媒体Ｍ）に対して記録することとを、同一パスで実施する場合であっても、事前に反応液Ｏｐが記録された記録領域Ｒ（媒体Ｍ）に対してカラーインクＦを記録する場合（実施形態１の構成）と同等の効果を得ることができる。
すなわち、カラーインクＦは、反応液Ｏｐの界面活性剤によって媒体Ｍの表面を均一に濡れ広がりやすくなり、カラーインクＦの顔料は、反応液Ｏｐの凝集剤によって媒体Ｍの目標位置に付着しやすくなるので、顔料の多い部分（色が濃い部分）と顔料の少ない部分（色が淡い部分）とが混在する色の濃淡ムラ、及び、顔料が目標位置以外に付着することによる色の滲みなどが抑制され、媒体Ｍの記録領域Ｒに形成される画像の品位を高めることができる。
加えて、記録領域Ｒ（媒体Ｍ）に記録される反応液Ｏｐの液量を適正に制御し、記録領域Ｒ（媒体Ｍ）に記録される反応液Ｏｐの液量が適正でない場合に生じる不具合（顔料と媒体Ｍとの密着性の悪化、生産性の低下、画像の品位の低下など）を抑制することができる。
【００９２】
さらに、本実施形態は４回のパスによって記録領域Ｒにフルカラーの画像を形成し、実施形態１は６回のパスによって記録領域Ｒにフルカラーの画像を形成するので、本実施形態は、実施形態１と比べて媒体Ｍにフルカラーの画像を形成するためのパス数が少なくなり、記録装置の生産性を高めることができる。
なお、媒体ＭがカラーインクＦを吸収する吸収性媒体である場合（カラーインクＦが媒体Ｍに染みこむ場合）、または、媒体Ｍが低吸収性媒体である場合、実施形態２の構成及び実施形態１の構成の両方が好ましい。
一方、媒体ＭがカラーインクＦを吸収しない非吸収性媒体である場合（カラーインクＦが媒体Ｍに染みこまない場合）、実施形態１の構成がより好ましい。
【００９３】
本発明は、上記実施形態に限られるものではなく、請求の範囲及び明細書全体から読み取れる発明の要旨あるいは思想に反しない範囲で適宜変更可能であり、上記実施形態以外にも様々な変形例が考えられる。以下、変形例を挙げて説明する。
【００９４】
（変形例１）
上述した実施形態は、ヘッドユニット５０が主走査方向Ｘ（媒体Ｍの幅方向）に移動しながらカラーインクＦを記録するシリアルヘッド方式の記録装置であったが、ヘッドユニット５０が、主走査方向Ｘ（媒体Ｍの幅方向）に延在して配置され、固定された状態でカラーインクＦを記録するラインヘッド方式の記録装置であってもよい。
【００９５】
（変形例２）
上述した実施形態２は、ステップＳ３１，Ｓ３３，Ｓ３５，Ｓ３７のそれぞれで、記録領域Ｒ（媒体Ｍ）に対して、カラーインクＦと反応液Ｏｐとを同一パスで記録する構成を有しているが、この構成に限定されない。少なくとも最初のパス（ステップＳ３１）においてカラーインクＦと反応液Ｏｐとを同一パスで記録する構成を有していればよく、例えば、ステップＳ３１及びステップＳ３３においてカラーインクＦと反応液Ｏｐとを同一パスで記録し、ステップＳ３５及びステップＳ３７においてカラーインクＦだけを記録する構成であってもよい。
【００９６】
以下に、上述した実施形態から導き出される内容を記載する。
【００９７】
本願の記録装置は、第１液体を媒体に記録する第１記録部と、前記第１液体に作用する凝集剤を含む第２液体を前記媒体に記録する第２記録部と、前記第１液体に作用する凝集剤を前記第２液体よりも高濃度で含む第３液体を前記媒体に記録する第３記録部と、を有する記録ユニットと、前記記録ユニットに対して前記媒体を搬送方向に相対移動させる搬送部と、制御部と、を備え、前記制御部は、前記第２液体及び前記第３液体を併用する第１の記録と、前記第２液体及び前記第３液体を併用しない第２の記録とのうちから選択して、前記媒体への記録を実施することを特徴とする。
【００９８】
本願の記録装置は、第２液体と第２液体よりも高濃度の第３液体とを使用し、第２液体及び第３液体を併用する第１の記録と、第２液体及び第３液体を併用しない第２の記録（第２液体または第３液体のいずれかを使用する第２の記録）とを選択して実施可能である。すなわち、濃度が異なる２種類の液体から選択して第１液体に作用する液体の記録が可能になるので、１種類の液体だけで第１液体に作用する液体の記録を実施する場合と比べて、第１液体に作用する液体（第２液体、第３液体など）を媒体に適正に記録し、第１液体を媒体に適正に記録することができる。
例えば、第１液体が色材を含むインクであり、第２液体及び第３液体が色材同士の結合を促進する反応液である場合、反応液を適正な条件（濃度、液量）で媒体に記録し、色材同士の結合を適正にすることが可能となり、媒体に形成される画像の品位を高めることができる。
【００９９】
本願の記録装置では、前記第１記録部は、前記第２記録部及び前記第３記録部よりも前記搬送方向の下流側に配置され、前記制御部は、前記第１の記録と前記第２の記録とのうちから選択して前記媒体への記録を実施した後、前記第１液体を前記媒体に記録することが好ましい。
【０１００】
第１記録部を、第２記録部及び第３記録部よりも搬送方向の下流側に配置すると、予め第２液体及び第３液体を媒体に記録し、第２液体及び第３液体が記録された媒体に対して、第１液体を記録することができる。
【０１０１】
本願の記録装置では、前記第１記録部の前記搬送方向の位置と、前記第２記録部及び前記第３記録部の搬送方向の位置とは重複しており、前記制御部は、前記第１の記録または前記第２の記録のいずれかと、前記第１液体の前記媒体への記録とを同一パスで実施することが好ましい。
【０１０２】
第１記録部の搬送方向の位置と、第２記録部及び第３記録部の搬送方向の位置とが重複すると、第１の記録または第２の記録のと、第１液体の媒体への記録とを、同一パスで（同時に）媒体に記録することができる。
【０１０３】
本願の記録装置では、前記制御部は、前記第１液体の液量データに基づいて、前記第２液体の液量データ及び前記第３液体の液量データを選択することが好ましい。
【０１０４】
第１液体の液量データに基づいて、第２液体の液量データ及び第３液体の液量データが選択可能になると、第２液体及び第３液体のうち少なくとも一方を、適正な条件（濃度、液量）で媒体に記録することが可能になる。
【０１０５】
本願の記録装置では、前記制御部は、前記第１液体の液量データに基づいて、前記第２液体及び前記第３液体の比率を決定することが好ましい。
【０１０６】
第１液体の液量データに基づいて、第２液体及び第３液体の比率を決定することが可能になると、第２液体及び第３液体のうち少なくとも一方を、適正な条件（濃度、液量）で媒体に記録することが可能になる。
【０１０７】
本願の記録装置の記録方法は、第１液体を媒体に記録する第１記録部と、前記第１液体に作用する凝集剤を含む第２液体を前記媒体に記録する第２記録部と、前記第１液体に作用する凝集剤を前記第２液体よりも高濃度で含む第３液体を前記媒体に記録する第３記録部と、を有する記録ユニットと、前記記録ユニットに対して前記媒体を搬送方向に相対移動させる搬送部と、制御部とを備える記録装置の記録方法であって、前記第２液体及び前記第３液体を併用する第１の記録と、前記第２液体及び前記第３液体を併用しない第２の記録とのうちから選択して、前記媒体への記録を実施する工程と、前記第１液体を前記媒体に記録する工程と、を含み、前記第１液体を前記媒体に記録する工程は、前記第１の記録と前記第２の記録とのうちから選択して前記媒体への記録を実施する工程の後に実施されることを特徴とする。
【０１０８】
第１液体を媒体に記録する工程を、第１の記録と第２の記録とのうちから選択して媒体への記録を実施する工程を実施すると、予め第２液体及び第３液体のうち少なくとも一方が記録された媒体に対して第１液体を記録し、第１液体を媒体に適正に記録することができる。
例えば、第１液体が色材を含むインクであり、第２液体及び第３液体が色材同士の結合を促進する反応液である場合、予め適正な条件（濃度、液量）で反応液を媒体に記録すると、色材同士の結合を適正にすることが可能となり、媒体に形成される画像の品位を高めることができる。
【０１０９】
本願の記録装置の記録方法は、第１液体を媒体に記録する第１記録部と、前記第１液体に作用する凝集剤を含む第２液体を前記媒体に記録する第２記録部と、前記第１液体に作用する凝集剤を前記第２液体よりも高濃度で含む第３液体を前記媒体に記録する第３記録部と、を有する記録ユニットと、前記記録ユニットに対して前記媒体を搬送方向に相対移動させる搬送部と、制御部とを備える記録装置の記録方法であって、前記第２液体及び前記第３液体を併用する第１の記録と、前記第２液体及び前記第３液体を併用しない第２の記録とのうちから選択して、前記媒体への記録を実施する工程と、前記第１液体を前記媒体に記録する工程と、を含み、前記第１液体を前記媒体に記録する工程は、前記第１の記録と前記第２の記録とのうちから選択して前記媒体への記録を実施する工程と同一パスで実施されることを特徴とする。
【０１１０】
第１液体を媒体に記録する工程と、第１の記録と第２の記録とのうちから選択して前記媒体への記録を実施する工程（第２液体及び第３液体のうち少なくとも一方を媒体に記録する工程）とを、同一パスで（同時に）実施すると、第１液体と、第２液体及び第３液体のうち少なくとも一方とを、同一パスで（同時に）媒体に記録することが可能になり、媒体に対する第１液体を適正に定着させることができる。
例えば、第１液体が色材を含むインクであり、第２液体及び第３液体が色材同士の結合を促進する反応液である場合、適正な条件（濃度、液量）の反応液と、インクとを同一パスで（同時に）記録すると、色材同士の結合を適正にすることが可能となり、媒体に形成される画像の品位を高めることができる。
【符号の説明】
【０１１１】
１０…記録装置、２０…移動部、３０…主走査部、３１…ガイド軸、３２…キャリッジ、４０…副走査部、４１…繰出部、４２…支持部、４３…搬送ローラー、４４…巻取部、５０…ヘッドユニット、５１…第１ノズルチップ、５２…第２ノズルチップ、５３…第３ノズルチップ、５５…ノズル列、６０…加熱部、９０…制御ユニット、９１…インターフェイス部、９２…ＣＰＵ、９３…メモリー。
【図１】
2019155706.tif 000003
【図２】
2019155706.tif 000004
【図３】
2019155706.tif 000005
【図４】
2019155706.tif 000006
【図５】
2019155706.tif 000007
【図６】
2019155706.tif 000008
【図７】
2019155706.tif 000009
【図８】
2019155706.tif 000010
【図９】
2019155706.tif 000011
【図１０】
2019155706.tif 000012